(57)【要約】【課題】  レンズの原点位置を検出して位置制御を行う小型のレンズ駆動装置、及びこのレンズ駆動装置を用いたデジタルカメラを提供する。【解決手段】  レンズホルダ４５の外周には、導電部材７０が設けられている。また、上カバー４１には、開口４１ｂが形成されており、開口４１ｂを介して上カバー４１の外側から内側に２本の電線７２が挿通されている。この２本の電線７２の先端は、レンズホルダ４５が光軸方向に沿って移動し、撮影レンズ２３の位置が原点位置（近接端）に到達した時に、導電部材７０と接触する位置に配置されている。また、２本の電線７２の後端は、下カバー４２の側面に設けられた検出回路７１に接続されている。検出回路７１は、撮影レンズ２３が原点位置に到達した時に、２本の電線７２の後端が導電部材７０と接触して導通したことを検出して検出信号を出力する。【選択図】        図４
2006091259.tif 000002
【特許請求の範囲】
【請求項１】
円筒形状を有し、レンズを保持するレンズホルダと、このレンズホルダを外周側から覆うように配置され、前記レンズの光軸を中心として回転される回転筒と、この回転筒を外周側から回転自在に保持する保持部材とを備え、前記回転筒の回転により前記レンズホルダを前記光軸方向に進退移動させるレンズ駆動装置において、
前記レンズホルダの外周に設けられ、導電性を有する導電部材と、
前記保持部材の外側から内側に挿通され、前記レンズホルダが光軸方向に移動して原点位置に達した時に、前記導電部材と先端が接触する２本の電線と、
前記保持部材に設けられ、前記２本の電線の先端が前記導電部材と接触して導通したことを検出する検出手段とを備えたことを特徴とするレンズ駆動装置。
【請求項２】
前記保持部材には開口が形成され、前記２本の電線は、前記保持部材の外側から内側に前記開口を介して挿通されていることを特徴とする請求項１記載のレンズ駆動装置。
【請求項３】
前記検出手段は、前記保持部材の壁面に設けられていることを特徴とする請求項１または請求項２記載のレンズ駆動装置。
【請求項４】
前記保持部材に保持され、円筒形状を有し、その円筒形状内に磁場を形成するステータと、前記回転筒の外周に設けられ、円筒形状を有するマグネットとをさらに備え、前記ステータによって形成される磁場によって、前記回転筒が回転されることを特徴とする請求項１ないし請求項３のいずれか記載のレンズ駆動装置。
【請求項５】
請求項１ないし請求項４のいずれか記載のレンズ駆動装置と、前記レンズにより結像された被写体像を撮像して画像データを取得する撮像手段と、前記撮像手段により撮像された前記画像データを記憶する記憶手段とを備えていることを特徴とするデジタルカメラ。
【発明の詳細な説明】
【技術分野】
【０００１】
本発明は、レンズの原点位置を検出してレンズ位置を制御するレンズ駆動装置、及びこのレンズ駆動装置を用いたデジタルカメラに関する。
【背景技術】
【０００２】
近年、デジタルカメラが広く一般に使用されている。このようなデジタルカメラは、携帯性を向上させるために、小型化及び軽量化されている。また、デジタルカメラを携帯電話やＰＤＡ（Personal Digital Assistant）等の小型機器に搭載させることも広く行われている。このような場合、デジタルカメラをさらに小型化及び軽量化する必要がある。このため、デジタルカメラに用いられるレンズ駆動装置も小型化されることが望まれていた。
【０００３】
このような問題を解決するために、中空のステッピングモータを利用したレンズ駆動装置が知られている（例えば、特許文献１参照）。このようなレンズ駆動装置は、レンズを保持するレンズホルダと、このレンズホルダの外周を覆うように設けられた中空ロータと、この中空ロータの外周を覆うように設けられたステータとを備え、ステータにパルス電流を供給することによって中空ロータを回転させて、カム機構等によりレンズホルダを光軸方向に進退移動させている。このため、ステッピングモータとレンズ鏡筒とを一体化することにより、レンズ駆動装置を小型化することが可能である。
【特許文献１】特開昭６０−４１７号公報
【発明の開示】
【発明が解決しようとする課題】
【０００４】
また、レンズ駆動装置では、レンズの位置を高精度に制御するためにレンズの原点位置を検出することが重要であり、フォトインタラプタ（以下、ＰＩと称する）等の光学的位置検出手段を設けてレンズの原点位置を検出していた。しかしながら、上記特許文献１に記載のレンズ駆動装置には、ＰＩ等の光学的検出手段を内部に設置するスペースがなく、ＰＩ等の光学的位置検出手段を使用して原点位置を検出しようとすると、レンズ駆動装置が大型化するという問題があった。
【０００５】
本発明は、上記事情に鑑みてなされたものであり、レンズの原点位置を検出してレンズ位置を高精度に制御することが可能な小型のレンズ駆動装置、及びこのレンズ駆動装置を用いたデジタルカメラを提供することを目的とする。
【課題を解決するための手段】
【０００６】
上記課題を解決するために、本発明のレンズ駆動装置は、円筒形状を有し、レンズを保持するレンズホルダと、このレンズホルダを外周側から覆うように配置され、前記レンズの光軸を中心として回転される回転筒と、この回転筒を外周側から回転自在に保持する保持部材とを備え、前記回転筒の回転により前記レンズホルダを前記光軸方向に進退移動させるレンズ駆動装置において、前記レンズホルダの外周に設けられ、導電性を有する導電部材と、前記保持部材の外側から内側に挿通され、前記レンズホルダが光軸方向に移動して原点位置に達した時に、前記導電部材と先端が接触する２本の電線と、前記保持部材に設けられ、前記２本の電線の先端が前記導電部材と接触して導通したことを検出する検出手段とを備えたことを特徴とするものである。
【０００７】
また、前記保持部材には開口が形成され、前記２本の電線は、前記保持部材の外側から内側に前記開口を介して挿通されていることが好ましい。さらに、前記検出手段は、前記保持部材の壁面に設けられていることが好ましい。
【０００８】
また、前記保持部材に保持され、円筒形状を有し、その円筒形状内に磁場を形成するステータと、前記回転筒の外周に設けられ、円筒形状を有するマグネットとをさらに備え、前記ステータによって形成される磁場によって、前記回転筒が回転されることを特徴とするものである。
【０００９】
上記課題を解決するために、本発明のデジタルカメラは、請求項１ないし請求項４のいずれか記載のレンズ駆動装置と、前記レンズにより結像された被写体像を撮像して画像データを取得する撮像手段と、前記撮像手段により撮像された前記画像データを記憶する記憶手段とを備えていることを特徴とするものである。
【発明の効果】
【００１０】
本発明のレンズ駆動装置及びデジタルカメラによれば、保持部材の内側に配置されるのは、２本の電線と導電部材のみであり、ＰＩ等の光学的位置検出手段を保持部材の内部に配置して、レンズの原点位置を検出する場合と比較して、レンズ駆動装置及びデジタルカメラを小型化することができる。
【００１１】
また、２本の電線を挿通させるための開口を保持部材に設けるだけで良いので、保持部材の強度を損なうことはない。
【発明を実施するための最良の形態】
【００１２】
本実施形態では、本発明のレンズ駆動装置をデジタルカメラが搭載されたカメラ付き携帯電話に適用した場合を例に説明する。図１はカメラ付き携帯電話１０の正面側、図２は背面側の構成を示す外観斜視図である。カメラ付き携帯電話１０は、上部筐体１１と、下部筐体１２と、これらの筐体１１，１２を回動自在に連結するヒンジ部１３とを備えて構成されている。
【００１３】
これらの筐体１１，１２は、略矩形の薄板形状にされている。上部筐体１１及び下部筐体１２は、ヒンジ部１３を中心として、図１及び図２に示す開き位置と、上部筐体１１及び下部筐体１２が略平行となるように折り畳まれた閉じ位置との間で回動される。
【００１４】
筐体１１の正面１１ａには、ＬＣＤパネル２１及び受話スピーカ２２が設けられており、背面１１ｂには、撮影レンズ２３が露呈されている。また、上面１１ｃには、アンテナ２４が設けられている。ＬＣＤパネル２１は、各種メニュー画面や、着信相手の電話番号等の各種情報、及び画像を表示する。また、受話スピーカ２２は、通話相手の音声を出力し、アンテナ２３は、音声データや、電子メール等のデータの電波信号を送受信する。
【００１５】
下部筐体１２の正面１２ａには、操作部３１及び送話マイク３２が設けられている。また、下部筐体１２の下面１２ｂには、メモリカード等の記憶媒体が装填されるスロット３５が設けられている。操作部３１は、選択キー３１ａ、シャッタボタン３１ｂ等の各種操作ボタンを備えて構成されている。撮影者が、選択キー３１ａを操作して複数のモードから撮影モードを選択することにより、カメラ付き携帯電話１０が撮影可能な状態になる。また、送話マイク３２は、音声を電気的な信号に変換する。
【００１６】
また、前述の撮影レンズ２３は、上部筐体１１内に組み込まれたレンズ駆動装置によって光軸方向に沿って進退移動する。以下に、このレンズ駆動装置の構成について、図３〜図５を用いて説明する。図３は、レンズ駆動装置４０の構成を示す外観斜視図である。また、図４は、撮影レンズ２３を近接端に繰り出した時のレンズ駆動装置４０の断面図であり、図５は、撮影レンズ２３を無限端に繰り込んだ時のレンズ駆動装置４０の断面図である。
【００１７】
レンズ駆動装置４０は、保持部材である上カバー４１及び下カバー４２と、上カバー４１及び下カバー４２によって挟持され、円筒形状を有するステータ４３と、ステータ４３の内側に配置された回転筒４４と、この回転筒４４の内側に配置され、撮影レンズ２３を保持するレンズホルダ４５とを備えて構成されている。また、上カバー４１及び下カバー４２によって、ステータ４３，回転筒４４，及びレンズホルダ４５が一体に収納されており、レンズ駆動装置４０がユニット化されている。
【００１８】
また、下カバー４２には、ローパスフィルタ４６と、撮像手段であるＣＣＤ４７とが保持されている。ローパスフィルタ４６及びＣＣＤ４７は、撮影レンズ２３の背後に配置されており、ローパスフィルタ４６は、被写体光に含まれる高周波成分を除去する。このため、撮影レンズ２３を透過した被写体光が、ローパスフィルタ４６を介してＣＣＤ４７に入射されて、擬色やモアレなどといった不具合を軽減させることができる。また、ローパスフィルタ４６及びＣＣＤ４７が、下カバー４２に保持されるように説明したが、レンズ駆動装置４０の外部に設けても良い。
【００１９】
回転筒４４の外周面には、円筒形状のマグネット４９が設けられている。以下に、ステータ４３及びマグネット４９の構成を説明する。図６に示すように、ステータ４３は、第１コイル部５０及び第２コイル部６０を備えて構成されている。第１コイル部５０は、導線を巻き回した円筒形状のコイル５１と、上コイルカバー５２と、下コイルカバー５３とを備えており、これらのコイルカバー５２，５３は、コイル５１を外周面側及び内周面側から覆うように設けられており、第１コイル部５０の全体が円筒形状にされている。
【００２０】
第１コイル部５０の内周面側には、上コイルカバー５２及び下コイルカバー５３のそれぞれに形成された歯５２ａ，５３ａが、それぞれが互い違いに噛み合うように複数配置されている。また、これらの歯５２ａ，５３ａは、お互いが接触しないように、ギャップを設けて配置されている。このため、コイル５１に電流が流れると、歯５２ａ，５３ａは互いに逆極性に磁極化される。
【００２１】
以上、第１コイル部５０について説明したが、第２コイル部６０も同様の構成であり、コイル６１と、上コイルカバー６２と、下コイルカバー６３とを備えている。また、上コイルカバー６２には、歯６２ａが複数形成されており、下コイルカバー６３には、歯６３ａが複数形成されている。また、第２コイル部６０は、第１コイル部５０の歯５２ａ，５３ａに対して、歯６２ａ，６３ａが半ピッチ分ずれるように配置されている。
【００２２】
また、コイル５１，６１には、交互にパルス電流が通電される。例えば、図中矢印Ａで示す方向を順方向として、コイル５１に対して順方向にパルス電流を供給すると、コイル５１の周囲には、パルス電流が流れる方向に対して、右回り（時計回り）の磁界が発生する。これにより、磁力線は、上コイルカバー５２から下コイルカバー５３に向かって導かれる。この時、磁力線は上コイルカバー５２からギャップ（空気中）を介して下コイルカバー５３に導かれるので、歯５２ａがＮ極、歯５３ａがＳ極となる。同様に、コイル６１に対して順方向にパルス電流を供給すると、歯６２ａがＮ極、歯６３ａがＳ極となる。
【００２３】
また、コイル５１に対して逆方向にパルス電流を供給すると、コイル５１の周囲には、順方向にパルス電流を供給した場合とは逆方向の磁界が発生する。この時、磁力線は、下コイルカバー５３からギャップ（空気中）を介して上コイルカバー５２に導かれるので、歯５２ａはＳ極、歯５３ａはＮ極となる。同様に、コイル６１に対して逆方向にパルス電流を供給すると、歯６２ａはＳ極、歯６３ａはＮ極となる。以上説明したように、コイル５１及びコイル６１にパルス電流を供給すると、第１コイル部５０及び第２コイル部６０の内周には、Ｎ極とＳ極の磁場が交互に形成される。
【００２４】
マグネット４９は、ステータ４３の内周よりも小さな外径を有する円筒形状にされている。マグネット４９は、外周がＮ極とＳ極とに交互に磁極化された永久磁石であり、４８極に磁極化されている。このマグネット４９は、ステータ４３にパルス電流を供給した時に内周に形成される磁場との斥力及び引力によって、ステータ４３に対して回転する。マグネット４９は、１極分の回転角度を１ステップとして回転し、４８ステップで１回転する。
【００２５】
次に、マグネット４９の各回転方向に対するパルス電流の制御について説明する。パルス電流の向きと同様に、図中矢印Ａで示す向きをマグネット４９の回転の順方向として説明する。最初にマグネット４９を順方向に回転させる場合について説明する。
【００２６】
マグネット４９を順方向に回転させる場合、コイル５１の順方向、コイル６１の順方向、コイル５１の逆方向、コイル６１の逆方向の順にパルス電流の供給を繰り返して行う。これにより、歯５２ａ、歯６２ａ、歯５３ａ、歯６３ａの順にＮ極が形成され、同時に、歯５３ａ、歯６３ａ、歯５２ａ、歯６２ａの順にＳ極が形成される。マグネット４９のＮ極及びＳ極には、歯５２ａ，５３ａ，６２ａ，６３ａとの間で引力及び斥力が作用して、マグネット４９が順方向に回転する。
【００２７】
また、マグネット４９を逆方向に回転させる場合、コイル５１の順方向、コイル６１の逆方向、コイル５１の逆方向、コイル６１の順方向の順にパルス電流の供給を繰り返して行う。これにより、歯５２ａ、歯６３ａ、歯５３ａ、歯６２ａの順にＮ極が形成され、同時に、歯５３ａ、歯６２ａ、歯５２ａ、歯６３ａの順にＳ極が形成される。マグネット４９のＮ極及びＳ極には、歯５２ａ，５３ａ，６２ａ、６３ａとの間で引力及び斥力が作用して、マグネット４９が逆方向に回転する。
【００２８】
前述のようにマグネット４９が回転されると、回転筒４４は、上カバー４１及び下カバー４２によって回転自在に保持されているので、回転筒４４がマグネット４９と一体に回転する。また、この回転筒４４の内周面には、螺旋溝であるヘリコイド４４ａが形成されている。
【００２９】
以下に、レンズホルダ４５の構成を説明する。図７に示すように、レンズホルダ４５は、円筒形状を有する本体筒４５ａと、この本体筒４５ａの前方に一体に形成され、本体部４５ａよりも外径の小さな円筒状の前方筒４５ｂとで構成されている。本体筒４５ａの外周面には、回転筒４４のヘリコイド４４ａと螺合するヘリコイド４５ｃが形成されている。また、前方筒４５ｂの外周には、光軸方向と平行な３本のキー溝４５ｄが形成されている。このキー溝４５ｄは、上カバー４１に設けられた突起である直進キー４１ａと係合している。このため、回転筒４４が回転すると、レンズホルダ４５が直進キー４１ａによって回転止めされて光軸方向に進退移動する。
【００３０】
また、レンズホルダ４５は、前述したように、撮影レンズ２３を内部に保持しており、この撮影レンズ２３は、第１レンズ２３ａ，第２レンズ２３ｂ，及び第３レンズ２３ｃの３枚のレンズで構成されている。このため、回転筒４４の回転によってレンズホルダ４５が光軸方向に進退移動して、撮影レンズ２３の位置が、光軸方向に沿って近接端位置（図４に示す位置）と∞端位置（図５に示す位置）との間で移動する。なお、撮影レンズ２３が、近接端位置から∞端位置に移動する間に、回転筒４４は２回転する。また、レンズ駆動装置４０は、撮影レンズ２３の位置を制御するために、撮影レンズ２３の原点位置を検出している。以下に、撮影レンズ２３の原点位置検出について説明する。
【００３１】
本体筒４５ａの前端面の下部には、導電部材７０が設けられている。この導電部材７0は、銅で形成されていることが好ましいが、導電性を有する材質であれば他の材質でも良い。また、下カバー４２の壁面には、検出手段である検出回路７１が設けられている。この検出回路７１には、２本の電線７２が接続されている。これらの２本の電線７２は、検出回路７１から光軸方向の前方（上カバー４１側）に延び、さらに、上カバー４１に形成された開口４１ｂ付近でＬ字形状に屈曲されている。屈曲された２本の電線７０は、開口４１ｂを介して、その先端が上カバー４１の内側に挿通されている。
【００３２】
また、２本の電線７２の先端は、撮影レンズ２３が近接端に移動した時、すなわち、レンズホルダ４５が図４に示す位置に繰り出された時に、前述の導電部材７０と当接して、２本の電線７２が導通する。
【００３３】
これらの２本の電線７２は、互いに接触して導通しないように、一定の間隔を隔てて配置されているが、各電線７２を被覆して接触しても導通しないようにしても良い。この場合、各電線７２の先端部のみ露出させれば良い。さらに、２本の電線７２は、銅で形成することが好ましいが、導電性を有する材質であれば良い。
【００３４】
前述したように、レンズホルダ４５が光軸方向前方に繰り出されて、撮影レンズ２３が近接端（図４に示す位置）に移動した時に、前述の２本の電線７２と導電部材７０とが当接する。この時、検出回路７１は、２本の電線７２が導通したことを検出して検出信号を出力する。これにより、撮影レンズ２３の原点位置が検出される。
【００３５】
このように、２本の電線７２の先端を上カバー４１の内部に配置し、導電部材７０をレンズホルダ４５の外周に設けるだけで良いので、撮影レンズ２３の原点位置を検出するために、ＰＩ等の光学的位置検出手段を上カバー４１、下カバー４２の内部に設けた場合と比較して、レンズ駆動装置４０を小型化することができる。また、上カバー４１に一部に開口４１ｂを形成するだけで良いので、上カバー４１の強度が低下することはない。
【００３６】
次に、カメラ付き携帯電話１０のカメラ機能の電気的構成について説明する。図８は、カメラ機能の電気的構成を示すブロック図である。システムコントローラ８０は、カメラ付き携帯電話１０の全体を制御する制御手段である。システムコントローラ８０には、選択キー３１ａ、及びシャッタボタン３１ｂが接続されている。ユーザによって選択キー３１ａが操作されると、システムコントローラ８０は、各操作に対応する処理を実行する。例えば、選択キー３１ａが操作されて撮影モードに設定されると、システムコントローラ８０は、各部を制御して撮影可能な状態にする。また、ユーザによってシャッタボタン３１ｂが操作されると、システムコントローラ８０は、各部を制御して撮影処理を実行させる。
【００３７】
ＣＣＤ４７は、撮影レンズ２３によって結像された被写体像を撮像して画像データを取得する。ＣＣＤ４７には、画像処理回路８１が接続されており、画像データを画像処理回路８１に出力する。画像処理回路８１には、画像メモリ８２が接続されており、この画像メモリ８２に画像データを記憶させる。画像処理回路８１は、画像データが画像メモリ８２に記憶されている時に、アナログの画像データをデジタルの画像データに変換するとともに、輝度レベル補正やホワイトバランス補正等の各種補正処理や、ＹＣ処理、圧縮処理等を画像データに施す。
【００３８】
ＬＣＤパネル２１にスルー画像を表示する際は、画像処理回路８１が、画像データに対して各種補正処理を施した後、簡易なＹＣ処理を施して輝度データと色差データとからなるＹＣ画像データに変換する。このＹＣ画像データは、画像メモリ８２から表示回路８３に送信されて、表示回路８３にてＮＴＳＣ等のコンポジット信号に変換されて、ＬＣＤパネル２１に出力される。
【００３９】
また、撮影が実行された場合、画像処理回路８１は、画像データに対して各種補正処理を施した後、ＹＣ処理を施してＹＣ画像データを生成する。このＹＣ画像データには、さらに圧縮処理が施されて、例えばＪＰＥＧ形式の圧縮画像データに変換される。
【００４０】
システムコントローラ８０には、メモリコントローラ８４、コイルドライバ８５、検出回路７１、及びＡＦ評価値算出回路８６が接続されている。システムコントローラ８０は、メモリコントローラ８４を制御して、前述の圧縮画像データをメモリカード８７に記憶させる。
【００４１】
また、システムコントローラ８０は、コイルドライバ８５に駆動信号を出力してパルス電流を発生させる。コイルドライバ８５は、コイル５１及びコイル６１にパルス電流を供給して、前述のように撮影レンズ２３を光軸方向に進退移動させる。
【００４２】
検出回路７１は、撮影レンズ２３が原点位置に移動した時に、検出信号をシステムコントローラ８０に出力する。また、システムコントローラ８０の内部には、コイル５１及びコイル６１に供給したパルス電流の数をカウントするパルスカウンタ８０ａが設けられている。システムコントローラ８０は、この検出信号を取得した時にパルスカウンタ８０をリセットして「０」にする。システムコントローラ８０は、このパルスカウンタ８０ａのカウントデータに基づいて、コイルドライバ８５に駆動信号を出力することにより、撮影レンズ２３の位置を制御している。
【００４３】
ＡＦ評価値算出回路８６は、画像処理回路８１から撮影画面内の所定領域の画像データを取得して、この画像データのコントラストに基づいてＡＦ評価値を算出する。画像のコントラストは、被写体像が合焦状態となった時に最も高くなり、この時にＡＦ評価値も最も高くなり、ＡＦ評価値算出回路８６は、ＡＦ評価値に対応するＡＦ評価値信号をシステムコントローラ８０に出力する。システムコントローラ８０は、このＡＦ評価値信号に基づいて、撮影レンズ２３の位置を制御することにより、撮影レンズ２３を合焦位置に移動させる。
【００４４】
次に、カメラ付き携帯電話１０の撮影処理について、図９及び図１０のフローチャートを用いて説明する。システムコントローラ８０は、撮影モードに設定されているか否かを判定する。撮影モードに設定されていない場合、システムコントローラ８０は、カメラ機能をＯＦＦの状態に維持させる。撮影モードに設定されている場合、システムコントローラ８０は、カメラ機能をＯＮ、すなわちカメラ機能を構成する各部を起動させ、その後、原点検出処理を実行させる。
【００４５】
次に、原点位置検出処理について説明する。システムコントローラ８０は、検出回路７１から検出信号が出力されているか否かを判定する。検出信号が出力されていると判定された場合、撮影レンズ２３が原点位置にあり、パルスカウンタ８０ａもリセットされているので、原点検出処理を終了する。
【００４６】
検出信号が出力されていないと判定された場合、撮影レンズ２３を近接端（図４に示す位置）に向かって移動させる。この時、システムコントローラ８０は、検出回路７１から検出信号が出力されているか否かを繰り返し判定する。検出信号が出力されていないと判定された場合は、撮影レンズ２３を近接端に向けて、さらに移動させ、検出信号が出力されていると判定された場合は、撮影レンズ２３の移動を中止する。その後、パルスカウンタ８０ａをリセットして原点位置検出処理を終了する。
【００４７】
原点検出処理が終了すると、撮影レンズ２３の合焦位置検出処理が行われる。システムコントローラ８０は、コイルドライバ８５を制御して撮影レンズ２３を光軸方向に進退移動させながら、ＡＦ評価値算出回路８６からＡＦ評価値信号を取得する。システムコントローラ８０は、ＡＦ評価値信号、及びパルスカウンタ８０ａのカウントデータに基づいて、コイルドライバ８５を制御して撮影レンズ２３を合焦位置に移動させる。
【００４８】
システムコントローラ８０は、シャッタボタン３１ｂが半押しされたか否かを判定する。シャッタボタン３１ｂが半押しされていないと判定された場合は、シャッタボタン３１ｂが半押しにされるまで撮影レンズ２３の合焦位置検出処理を繰り返し行う。シャッタボタン３１ｂが半押しされたと判定された場合は、撮影レンズ２３が合焦位置に固定されてフォーカスロックされる。
【００４９】
その後、システムコントローラ８０は、シャッタボタン３１ｂが全押しされたか否かの判定を行う。全押しされずにシャッタボタン３１ｂが離された場合、フォーカスロックが解除されて、再び合焦位置検出処理が行われる。また、全押しされた場合、システムコントローラ８０は、メモリコントローラ８４を制御して画像データをメモリカード８７に記憶させる。
【００５０】
その後、システムコントローラ８０は、撮影モード以外のモードに切り替えられた場合、撮影処理を終了し、撮影モードのままの場合、再び合焦位置検出処理を行う。
【００５１】
なお、本実施形態において、レンズホルダ４５の本体筒４５ａの前端面に導電部材７０を設けるように説明したが、これに限るものではなく、前方筒４５ｂの外周面に設けても良い。この場合、撮影レンズ２３が原点位置に移動した時に、２本の電線７２の先端が導電部材７０に当接するように、電線７２を配置すれば良い。
【００５２】
また、本実施形態において、電線７２を上カバー４１の開口４１ｂを挿通させるように説明したが、これに限るものではなく、開口４１ｂを設けずに、電線７２を上カバー４１にインサート成形しても良い。この場合、電線７２の先端が、上カバー４１の内部に露出され、導電部材７０と当接可能にすれば良い。
【００５３】
さらに、本実施形態において、撮影レンズ２３の近接端位置を原点位置とした場合を例に説明したが、これに限るものではなく、撮影レンズ２３の∞端位置を原点位置としても良い。この場合、導電部材７０をレンズホルダ４５の後端面に配置して、撮影レンズ２３が∞端位置に移動した時に、２本の電線７２の先端が導電部材７０に当接するように、電線７２を配置すれば良い。
【００５４】
また、本実施形態において、中空ステッピングモータを利用したレンズ駆動装置４０を例に説明したが、これに限るものではなく、通常のステッピングモータやＤＣモータを用い、ギア列を介して回転筒４４を回転させても良い。
【００５５】
なお、本実施形態において、本発明をカメラ付き携帯電話に実施した場合を例に説明したが、これに限るものではなく、通常のデジタルカメラに本発明を適用しても良い。
【図面の簡単な説明】
【００５６】
【図１】カメラ付き携帯電話の前面側の構成を示す外観斜視図である。
【図２】カメラ付き携帯電話の背面側の構成を示す外観斜視図である。
【図３】レンズ駆動装置の構成を示す外観斜視図である。
【図４】レンズ駆動装置の構成を示す断面図である。
【図５】レンズ駆動装置の構成を示す断面図である。
【図６】ステータ及びマグネットの構成を示す斜視図である。
【図７】レンズホルダの構成を示す斜視図である。
【図８】カメラ付き携帯電話のカメラ機能の電気的構成を示すブロック図である。
【図９】撮影処理を説明するフローチャートである。
【図１０】原点検出処理を説明するフローチャートである。
【符号の説明】
【００５７】
１０  カメラ付き携帯電話
２３  撮影レンズ
４０  レンズ駆動装置
４１  上カバー
４１ｂ  開口
４２  下カバー
４３  ステータ
４４  回転筒
４５  レンズホルダ
７０  導電部材
７１  検出回路
７２  電線
【図１】
2006091259.tif 000003
【図２】
2006091259.tif 000004
【図３】
2006091259.tif 000005
【図４】
2006091259.tif 000006
【図５】
2006091259.tif 000007
【図６】
2006091259.tif 000008
【図７】
2006091259.tif 000009
【図８】
2006091259.tif 000010
【図９】
2006091259.tif 000011
【図１０】
2006091259.tif 000012